(57)【要約】【課題】投入機への投入時点において袖部分に残っている若干の乱れや皺を除去する。【解決手段】衣類を整形体に着せ掛けて整形し、その背後に配置された投入コンベアに預け渡して工程に投入する衣類投入機において、衣類を着せ掛ける整形体に対してその左右に位置し、衣類の袖を伸ばした状態に整形するために、袖を吸引する袖吸引整形装置であって、一方の側に袖を吸引する縦長の吸引口３２が開口し、他方の側にて吸引装置に接続された袖吸引整形部２１、２２を具備し、上記袖吸引整形部は、縦長の吸引口を構成する一対の側板部３４、３５を有し、袖吸引整形部内部に吸引されている袖Ｓ、Ｓがはためくように振動させるために、外部から内部に気流を吸引する小開口３６、３７を、上記一対の側板部に形成する。【選択図】          図５
2014104115.tif 000002
【特許請求の範囲】
【請求項１】
衣類を整形体に着せ掛けて整形し、その背後に配置された投入コンベアに預け渡して工程に投入する衣類投入機において、衣類を着せ掛ける整形体に対してその左右に位置し、衣類の袖を伸ばした状態に整形するために、袖を吸引する袖吸引整形装置であって、
一方の側に袖を吸引する縦長の吸引口が開口し、他方の側にて吸引装置に接続された袖吸引整形部を具備し、
上記袖吸引整形部は、縦長の吸引口を構成する一対の側板部を有しており、
袖吸引整形部内部に吸引されている袖がはためくように振動させるために、外部から内部に気流を吸引する小開口を、上記一対の側板部に形成したことを特徴とする
衣類投入機における袖吸引整形装置。
【請求項２】
吸引口を構成する一対の側板部の少なくとも一方の側板部には、吸引口の開口面積を可変とする可動蓋が設けられており、その可動蓋に一方の小開口が形成されている
請求項１記載の衣類投入機における袖吸引整形装置。
【請求項３】
小開口として、縦長の吸引口を構成する一対の側板部の上下方向に沿って、縦長のスリット状に、複数個が設けられている
請求項１又は２記載の衣類投入機における袖吸引整形装置。
【発明の詳細な説明】
【技術分野】
【０００１】
本発明は、衣類を整形体に着せ掛けて整形し、その背後に配置された投入コンベアに預け渡して工程に投入する衣類投入機において、特に袖部分に関係する整形を効果的に行なうための袖吸引整形装置に関するものである。
【背景技術】
【０００２】
衣類を整形状態で投入するために、衣類投入機の正面に伸縮腕を有する人形型の整形体を配置したものは特許第１６５３７３５号（特開平０２−８０１００号）以来公知になっている。このタイプの衣類投入機は、浴衣型衣類の整形投入に大きな効果を挙げており、その後も、整形体本体の幅を調整する左右の胴幅板を備えた特許第３０９１４４６号（特開２０００−１８９６９９号）、胴幅板、伸縮腕、襟部材等から成るサイズ調整要素を備えた特許第４２０１６７４号（特開２００５−８７２２３号）と、継続的に開発がなされて来た。さらに、衣類を投入コンベアへ預け渡すために、投入コンベア側で衣類を挟持する等の対策も施されている特許第４２０１６７５号（特開２００５−８７３２１号）。
【０００３】
上記のように多年に亘る技術開発の結果、いわゆる人形型の整形体を使用する衣類の整形投入は不可欠というべきものになっている。ところがいまだ完全という訳ではなく、例えば、浴衣等の袖の長い衣類を基準とすると、甚平等の袖の短い特定の衣類に対しては吸引力が不足する傾向となり、そのままでは綺麗に整形出来ないというようなことも問題として指摘されることがある。しかし、この問題について、出願人は袖吸引整形部を移動可能とすることで一応の解決を見ており、その成果の一部については既に出願済みである。
【０００４】
ところが、洗濯・脱水・乾燥工程を経て、衣類はクシャクシャになっており、その袖を伸ばして皺を取り除くことは、中々容易なことではない。袖の長短の相違であれば早目の対応も可能であったが、衣類の素材には、生地の硬軟や、厚い・薄いなどの差があり、整形体に掛けられる衣類の状態は、千差万別であるからである。特に、現時点において課題となっているのは、投入時点において袖部分に残っている若干の乱れや皺を除去することであるが、これらは基本的な課題であるだけに、効果的な対策を講じることができないでいた。
【０００５】
【特許文献１】特開平０２−８０１００号
【特許文献２】特開２０００−１８９６９９号
【特許文献３】特開２００５−８７２２３号
【特許文献４】特開２００５−８７３２１号
【発明の開示】
【発明が解決しようとする課題】
【０００６】
本発明は前記の実情に鑑みてなされたもので、その課題は、投入時点において袖部分に残っている若干の乱れや皺を除去することである。また、本発明の他の課題は、投入時点において袖部分に残っている上記のような不整形箇所を、吸引気流のみによって除去することが可能な衣類投入機における袖吸引整形装置を提供することである。
【課題を解決するための手段】
【０００７】
前記の課題を解決するため、本発明は、衣類を整形体に着せ掛けて整形し、その背後に配置された投入コンベアに預け渡して工程に投入する衣類投入機において、衣類を着せ掛ける整形体に対してその左右に位置し、衣類の袖を伸ばした状態に整形するために、袖を吸引する袖吸引整形装置について、一方の側に袖を吸引する縦長の吸引口が開口し、他方の側にて吸引装置に接続された袖吸引整形部を具備し、上記袖吸引整形部は、縦長の吸引口を構成する一対の側板部を有しており、袖吸引整形部内部に吸引されている袖がはためくように振動させるために、外部から内部に気流を吸引する小開口を、上記側板部に形成するという手段を講じたものである。
【０００８】
本発明の衣類投入機における袖吸引整形装置は、衣類を整形体に着せ掛けて整形し、その背後に配置された投入コンベアに預け渡して工程に投入する衣類投入機において、衣類を着せ掛ける整形体に対してその左右に位置し、衣類の袖を伸ばした状態に整形するために、袖を吸引する点において、従来の構成と共通している。本発明は、この共通構成の下に吸引気流に改良を加え、袖部分の乱れや皺を除去しようというものである。
【０００９】
そのため、本発明の装置は一方の側に袖を吸引する縦長の吸引口が開口し、他方の側にて吸引装置に接続された袖吸引整形部を具備している。吸引機構はブロワ等から成り、吸気管を通じて袖吸引整形部と接続される。上記袖吸引整形部は、縦長の吸引口を構成する一対の側板部を有している。衣類の搬送方向はその上下方向と一致しており、袖も上下方向に縦長の状態にあるから、袖を受け入れる上記吸引口も必然的に衣類の上下方向に縦長の形態を有することになる。
【００１０】
そして、上記袖吸引整形部内部に吸引されている袖をはためくように振動させる、或いは揺らせるために、本発明の装置では、外部から内部に気流を吸引する小開口を、上記一対の側板部に形成する。吸引気流によって引き起こされる袖の振動は、袖全体を小刻みに振動させるときは周期と振幅を小さくし、また、大きく振動させるには周期も振幅も大きい方が良い、と考えられる。そこで、振動を制御する因子となる小開口の位置、面積及び配列等の要件を適切に選択する。なお、小開口の開口面積にも可変構造を取り入れることができるのは当然である。
【００１１】
吸引口を構成する一対の側板部の少なくとも一方の側板部には、吸引口の開口面積を可変とする可動蓋が設けられ、かつ、その可動蓋に一方の小開口を形成するという構成は、本発明の装置として望ましいものである。小開口はなるべく吸引口に近い位置に形成することが望ましい結果につながり、可動蓋は開口面積を可変にする目的を有するので、吸引口の一部となるように設けられる、従って、吸引口に近い可動蓋に小開口を形成することが望まれるのである。
【００１２】
小開口については、縦長の吸引口を構成する一対の側板部の上下方向に沿って、縦長のスリット状の小開口を、複数個を列設する、という構成も本発明の装置にとっては望ましいものである。小開口をより小さい開口複数個とすることによって、気流の吸引態様を、最も効果的な振動を得るように工夫することができ、また、側板部に大きな開口を開けずに済み、強度低下させることがない。なお、本発明では気流の振動による整形作用を得ているが、気流に脈動を起させて整形作用を得ることも可能である。
【発明の効果】
【００１３】
本発明は以上のように構成されかつ作用するものであるから、投入時点において袖部分に残っている若干の乱れや皺等の不整形箇所が残っていたとしても、袖部分に対してはためくように振動させることで、それらの乱れや皺を除去することができるという効果を奏する。また、本発明によれば、投入時点において袖部分に残っている上記のような不整形箇所を、変化する吸引気流のみによって除去することが可能な衣類投入機における袖吸引整形装置を提供することができる。
【発明を実施するための最良の形態】
【００１４】
以下、図示の実施形態を参照して、本発明をより詳細に説明する。図１、図２は本発明に係る袖吸引整形装置を適用した衣類投入機の一例を示している。各図において、１０は衣類Ｗを工程に投入するために用いられる衣類投入機、１１は衣類Ｗを搬送する投入コンベアであって、衣類投入機１０の上部に配置され、側面から見てほぼ逆Ｌ字型に設けられた、第１、第２のコンベア１２、１３から成っている（図２参照）。
【００１５】
第１コンベア１２は、整姿された衣類Ｗを搬送できるだけの全幅をそなえており、第２コンベア１３の下部に位置している。これに対し、上部に位置する第２コンベア１３は、衣類Ｗのほぼ中央部分に相当するだけの幅を備えており、その下面は第１コンベア１２の上面と接触し、かつ、正面側の端部１３ａが第１コンベア１２に対し、図示しない機構により開閉して衣類Ｗを受け入れるようになっている。１４は吸引ボックスであり、第１コンベア１２が摺動するようにその下側（内側）に位置し、搬送中の衣類Ｗを吸引保持するために多数の吸引孔が、第１コンベア１２の摺動面側に形成されている。
【００１６】
１５は吸引作用を得るための吸引装置であり、その吸引側には、上記吸引ボックス１４に通じるダクト１６と左右のダクト１７、１８が接続され、左右のダクト１７、１８は整形体２０の上方左右に配置される左右の袖吸引整形部２１、２２に通じている。上記左右のダクト１７、１８は、袖吸引整形部２１、２２の前後方向への移動を妨げないように、可動的に設けられている。なお、１９は搬出コンベアであり、第１コンベア１２の排出側に配置されている。図２における整形体２０は、作業者が衣類Ｗを着せ掛ける作業位置にあり、その後、衣類Ｗを投入コンベア１１に投入するときには、その正面近くの投入位置まで上昇する（図７参照）。
【００１７】
整形体２０は、本発明開発の段階では、前述したように胴幅板、伸縮腕、襟部材等から成るサイズ調整要素を備えることが普通になっている。従って、それらの要素は本発明にも同様に適用されるが、しかし、本発明の説明においては、特に、袖吸引整形装置に直接必要な要素として、整形体２０に着せた衣類Ｗの袖Ｓに通す、出没可能な左右の袖支え部材２３、２４を示すに止める。その左右の袖支え部材２３、２４は、整形体２０の内部に設けた出没機構２５、２６によって袖を延ばす方向へ進出し、かつ、整形体２０の内部へ没入するように設けられている（図３参照）。なお、２７は襟部材であるが、これについても詳細な説明は省略する。
【００１８】
整形体２０は衣類Ｗを着せ掛けて整形し、その背後に配置された投入コンベア１１に預け渡すために、投入コンベア１１の正面に配置される。整形体２０は、支持柱体２８によって昇降可能、かつ、傾斜可能に、基台２９に設けられている。支持柱体２８は、その内部に装備した装置によって昇降可能とされ、かつ、基台２９との間に設けた装置によって傾斜可能とされ、これらの昇降動作と傾斜動作により投入コンベア１１の前端の預け渡し位置へ向けて整形体２０を移動させるように構成されている（図６、図７等参照）。  
【００１９】
整形体２０に対して、その左右に前記の袖吸引整形部２１、２２が設けられているが、図３に示したのは整形体２０が上昇している状態である。左右の袖吸引整形部２１、２２は対称的に形成されているので、その一方２１に付いて図３〜図５により説明する。例示のものは、支持体３０Ｌ、３０Ｒに回転可能に軸支された吸引部ケース３１を有し、吸引部ケース３１は、一方の側に袖Ｓを吸引する縦長の吸引口３２が開口し、他方の側にて吸引装置１５に前記のダクト１７、１８を介して接続される接続口３３が下部に設けられている。なお、上記吸引部ケース３１は、全体が気密的に形成され、また、支持体３０Ｌ、３０Ｒは投入機本体に設けられている（図１等参照）。
【００２０】
吸引部ケース３１は、衣類Ｗの袖Ｓを内部にて整形するために、吸引口３２の側は想定される最大の大きさ及び形状の袖を吸引し得るだけの大きさ及び形状の扁平な吸引部分を有しており、吸引口３２は、前述の如く衣類Ｗの上下方向に縦長の形態になっている。上記袖吸引整形部２１、２２は、夫々縦長の吸引口３２を構成する一対の側板部３４、３５を有している。そして、上記袖吸引整形部２１、２２の内部に吸引されている袖Ｓをはためくように振動させるために、外部から内部に気流を吸引する小開口３６、３７を、上記一対の側板部３４、３５に形成したことを特徴とする。
【００２１】
実施形態の装置では、小開口３６、３７として、縦長の吸引口３２を構成する一対の側板部３４、３５の上下方向に沿って、縦長のスリット状のものが、一列に複数個設けられている。吸引気流によって引き起こされる左右の袖Ｓ、Ｓの振動は、袖全体を小刻みに振動させるときは周期と振幅を小さくし、また、大きく振動させるには周期も振幅も大きい方が良い、と考えられている。振動を制御する因子となる小開口３６、３７については、その位置、面積及び配列等の要件を適切に選択して形成することができる。また、図示の小開口３６、３７は一定面積の開口であるが、この開口面積を可変構造とすることは容易であり、それによって袖Ｓ、Ｓに生じさせる振動の周期や振幅を選択的に変化させることも可能である。
【００２２】
本発明の装置においては、これらの小開口３６、３７流入する気流によって、袖Ｓ、Ｓを振動させることが目的であるから、その形態は一列とは限らず、個数も形状も任意に選択することができる。図３、図４の例について見れば、投入機本体の正面側（作業者側）の開口面積を、背面側（投入コンベア側）の開口面積よりも小さく、かつまた、その位置も上流下流にずらせて小開口３６、３７を設けており、この形態によって一定の振動を発生させているが、これは一例に過ぎない。
【００２３】
上記吸引部ケース３１における一方の端部の吸引気流が流入する吸引口３２には、吸引口３２の開口面積を可変とする可動蓋３８が設けられている。図示の可動蓋３８は、投入機本体の正面側（作業者側）に位置し、吸引部ケース３１にヒンジ３９により結合されており、４０は整形ブラシであり、可動蓋３８の先端部に全幅に渡って設けられている。上記可動蓋３８は、同じく吸引部ケース３１に取り付けられた開閉用駆動部４１によって駆動され、吸引口３２の開口面積を可変にしている。なお、図４Ｂは図３に対する背面図として、上下逆に図示されている。
【００２４】
このような構成を有する、本発明の衣類投入機１０における袖吸引整形装置の作用に付いて説明する。まず、衣類Ｗを整形体２０に整形しながら着せ掛けると、整形体２０から左右の袖支え部材２３、２４が伸び出すとともに、衣類Ｗの左右の袖Ｓ、Ｓが伸ばした状態とされる。それと同時に整形体２０が後方へ傾斜しながら上昇し、衣類Ｗはその襟部が投入コンベア１１の第１コンベア１２と、開いた第２コンベア１３との間に入り込み、第２コンベア１３はその後閉じて襟部を挟持する（図６）。整形体１１が上昇し、袖Ｓ、Ｓが整形体上の衣類Ｗと投入コンベア１１との間に位置したときの関係が図７に示されており、その投入部分は図８に拡大して示されている。
【００２５】
両袖Ｓ、Ｓが袖吸引整形部２１、２２の間に位置した状態になると、吸引気流により、両袖Ｓ、Ｓは袖吸引整形部２１、２２に吸引口３２、３２内に夫々吸引される。このとき吸引口３２、３２では、可動蓋３８、３８が十分に開いた状態にある。第２コンベア１３が閉じて襟部を挟持する状態になると、開いていた可動蓋３８、３８が閉じ方向へ移動するので、吸引口３２の開口面積の割合に応じた吸引力が発生し、袖Ｓ、Ｓはより強い吸引力で吸引口内に吸引される。このとき、吸引口内部には、小開口３６、３７を通じて外部から内部に気流が吸引され、夫々異なる流量の気流が異なる位置から流入し、袖Ｓ、Ｓは前後両面が気流にさらされているので、はためくように振動する（図５）。
【００２６】
このようにして、本発明の袖吸引整形装置により衣類Ｗの、特に、袖ＳＳに振動ないしは脈動する気流の作用を受け、その乱れや皺を極力除去することが可能になる（図９）。袖Ｓ、Ｓの整形を終えた衣類Ｗは、袖吸引整形部２１、２２が左右に開く際に、袖Ｓ、Ｓが第１コンベア１２に置かれるとともに、吸引ボックス１４から吸引されることで、投入コンベア１１に移載され、整形体２０は原位置に戻る（図９、図１０）。図１１、図１２は上記袖吸引整形部２１、２２の開く動作を示しており、開きながら袖Ｓを第１コンベア１２の表面に徐々に吸着させて行くものである。衣類Ｗは投入コンベア１１に移載され、搬出コンベア１９により、次工程へと搬送される。
【００２７】
本発明の袖吸引整形装置によれば、袖Ｓが吸引部ケース３１の内部に吸引されると、袖Ｓの前後両面に加わる気流の吸引力が変化することで、あたかも振動が加えられているかのように複雑な運動を袖Ｓに起こさせ、同時に、袖吸引整形部２１、２２が開きながら、袖Ｓをこそげる力を加えることによって、整形乱れを取り、皺を伸ばす効果を得ることができる。  
【図面の簡単な説明】
【００２８】
【図１】本発明に係る衣類投入機における袖吸引整形装置の一例を示す正面説明図である。
【図２】同上の装置の側面説明図である。
【図３】同上における整形体と袖吸引整形部の位置関係を示す正面説明図である。
【図４】同じく袖吸引整形部を示すもので、Ａは下面図、Ｂは背面図である。
【図５】同じく袖吸引整形部を示す断面説明図である。
【図６】本発明の装置による整形工程を示す正面図である。
【図７】同上の側面図である。
【図８】図７要部の拡大図である。
【図９】同じく袖整形中の正面説明図である。
【図１０】袖の整形を完了し、袖吸引整形部が退避した状態を示す正面図である。
【図１１】同上の側面図である。
【図１２】袖吸引整形部の退避状態を示す断面説明図である。
【符号の説明】
【００２９】
１０  衣類投入機
１１  投入コンベア
１２  第１コンベア
１３  第２コンベア
１４  吸引ボックス
１５  吸引装置
１６  ダクト
１７、１８  左右のダクト
１９  搬出コンベア
２０  整形体
２１、２２  袖吸引整形部
２３、２４  左右の袖支え部材
２５、２６  出没機構
２７  襟部材
２８  支持柱体
３０Ｌ、３０Ｒ  支持体
３１  吸引部ケース
３２  吸引口
３３  接続口
３４、３５  側板部
３６、３７  小開口
３８  可動蓋
３９  ヒンジ
４０  整形ブラシ
４１  開閉用駆動部
【図１】
2014104115.tif 000003
【図２】
2014104115.tif 000004
【図３】
2014104115.tif 000005
【図４】
2014104115.tif 000006
【図５】
2014104115.tif 000007
【図６】
2014104115.tif 000008
【図７】
2014104115.tif 000009
【図８】
2014104115.tif 000010
【図９】
2014104115.tif 000011
【図１０】
2014104115.tif 000012
【図１１】
2014104115.tif 000013
【図１２】
2014104115.tif 000014